(57)【特許請求の範囲】
【請求項１】
頭部と、該頭部から延びる脚部と、該脚部に設けられた尖鋭部とを備える棒状体と、該棒状体が所定の目的に使用された後に前記尖鋭部の少なくとも先端の露出を防止する露出防止部材とを備え、
前記露出防止部材は、前記頭部又は前記頭部から前記脚部に向かう範囲に、前記棒状体の長軸方向に移動可能な状態で装着され、
該棒状体の表面を脚部方向に沿って前記尖鋭部の先端を覆う位置まで前記露出防止部材を摺動させることが可能であり、
前記露出防止部材は、該棒状体が貫通可能な孔を備え、前記孔が拡径及び縮径が自在であることを特徴とする棒状体。
【請求項２】
頭部と、該頭部から延びる脚部と、該脚部に設けられた尖鋭部とを備える棒状体と、前記尖鋭部の少なくとも先端の露出を防止する露出防止部材とを備え、
前記露出防止部材は、前記頭部又は前記頭部から前記脚部に向かう範囲に、前記棒状体の長軸方向に移動可能な状態で装着され、
該棒状体の表面を脚部方向に沿って前記尖鋭部の先端を覆う位置まで前記露出防止部材を摺動させることが可能であり、
前記露出防止部材は、該棒状体が貫通可能な孔を備え、前記孔が拡径及び縮径が自在であることを特徴とする棒状体。
【請求項３】
頭部と、該頭部から延びる脚部と、該脚部に設けられた尖鋭部とを備える棒状体と、該棒状体が所定の目的に使用された後に前記尖鋭部の少なくとも先端の露出を防止する露出防止部材とを備え、
前記露出防止部材は、前記頭部又は前記頭部から前記脚部に向かう範囲に、前記棒状体の長軸方向に移動可能な状態で装着され、
該棒状体の表面を脚部方向に沿って前記尖鋭部の先端を覆う位置まで前記露出防止部材を摺動させることが可能であり、
前記露出防止部材は、管状で、かつ、一端が封止されている封止部を有し、
前記棒状体の頭部の頂面を前記封止部の内部側から突き当てることで、前記封止部を破ることが可能であることを特徴とする棒状体。
【請求項４】
頭部と、該頭部から延びる脚部と、該脚部に設けられた尖鋭部とを備える棒状体と、前記尖鋭部の少なくとも先端の露出を防止する露出防止部材とを備え、
前記露出防止部材は、前記頭部又は前記頭部から前記脚部に向かう範囲に、前記棒状体の長軸方向に移動可能な状態で装着され、
該棒状体の表面を脚部方向に沿って前記尖鋭部の先端を覆う位置まで前記露出防止部材を摺動させることが可能であり、
前記露出防止部材は、管状で、かつ、一端が封止されている封止部を有し、
前記棒状体の頭部の頂面を前記封止部の内部側から突き当てることで、前記封止部を破ることが可能であることを特徴とする棒状体。
【請求項５】
頭部と、該頭部から延びる脚部と、該脚部の先端に設けられた尖鋭部と、前記尖鋭部の少なくとも先端の露出を防止する露出防止部材とを棒状体を所定の目的に使用した後に処分する方法であって、
前記露出防止部材は、前記頭部又は前記頭部から前記脚部に向かう範囲に、前記棒状体の長軸方向に移動可能な状態で装着されており、
前記棒状体が所定の目的で使用された後に、該棒状体の表面を脚部方向に沿って前記尖鋭部の先端を覆う位置まで前記露出防止部材を摺動させ、前記尖鋭部の少なくとも先端を露出防止部材により前記先端の露出を防止する工程を有し、
前記露出防止部材は、該棒状体が貫通可能な孔を備え、前記孔が拡径及び縮径が自在であることを特徴とする処分方法。
【請求項６】
頭部と、該頭部から延びる脚部と、該脚部の先端に設けられた尖鋭部と、前記尖鋭部の少なくとも先端の露出を防止する露出防止部材とを棒状体を所定の目的に使用した後に処分する方法であって、
前記露出防止部材は、前記頭部又は前記頭部から前記脚部に向かう範囲に、前記棒状体の長軸方向に移動可能な状態で装着されており、
前記棒状体が所定の目的で使用された後に、該棒状体の表面を脚部方向に沿って前記尖鋭部の先端を覆う位置まで前記露出防止部材を摺動させ、前記尖鋭部の少なくとも先端を露出防止部材により前記先端の露出を防止する工程を有し、
前記露出防止部材は、管状で、かつ、一端が封止されている封止部を有し、
前記棒状体の頭部の頂面を前記封止部の内部側から突き当てることで、前記封止部を破ることが可能であることを特徴とする処分方法。
【請求項７】
前記先端の露出を防止する工程の後に、前記先端の露出が防止された棒状体を廃棄又は焼却する工程をさらに有することを特徴とする請求項５又は６に記載の処分方法。
【発明の詳細な説明】
【技術分野】
【０００１】
本発明は、頭部から延びる脚部に尖鋭部を備える棒状体であって使用済みなもの並びに、頭部から延びる脚部に尖鋭部を備える棒状体であって安全な処分が可能なもの及びその処分方法に関する。
なお、本発明において、「折断する」とは、対象物を折り、当該対象物の一部を残部から分離又は切断することをいい、「折断可能」とは、対象物を折断することが可能であることをいう。
【背景技術】
【０００２】
楊枝や竹串は、頭部から延びる脚部を備え、その脚部の先端に尖鋭部を備え、所定の目的に使用される棒状体の代表例である（特許文献１、２）。
【０００３】
【特許文献１】特開２００４−１２１６３０号公報
【特許文献２】実開平８−２１０号公報
【発明の開示】
【発明が解決しようとする課題】
【０００４】
かかる棒状体を使用した後に廃棄、焼却等の処分に供しようとする場合、その尖鋭部が鋭利であるが故に、作業者が怪我をすることがあった。
本発明は、この問題を解決するためになされたものであり、作業者が安全かつ衛生的に処分することが可能な使用済みの棒状体並びに、所定の目的に使用された後に作業者が安全かつ衛生的に処分することができる棒状体及び、所定の目的に使用された棒状体を安全にかつ衛生的に処分する方法を提供することを目的とする。
【課題を解決するための手段】
【０００５】
上記目的を達成するための、本発明の第１の形態に係る使用済み棒状体は、頭部と、該頭部から延びる脚部と、該脚部に設けられた尖鋭部とを備える棒状体と、該棒状体が所定の目的に使用された後に前記尖鋭部の少なくとも先端の露出を防止する露出防止部材とを備えることを特徴とするものである。
【０００６】
本発明の第２の形態に係る使用済み棒状体は、第１の形態に係る使用済み棒状体であって、前記露出防止部材が、前記棒状体が所定目的に使用される前に前記頭部に取り外し可能な状態で装着されていることを特徴とするものである。
【０００７】
本発明の第３の形態に係る使用済み棒状体は、第１又は第２の形態に係る使用済み棒状体であって、前記露出防止部材が、前記尖鋭部の少なくとも先端を差し込むことが可能な孔を備えることを特徴とするものである。
【０００８】
本発明の第４の形態に係る使用済み棒状体は、第１の形態に係る使用済み棒状体であって、前記露出防止部材が、前記棒状体が所定目的に使用される前に前記頭部又は前記頭部から前記脚部に向かう範囲に、前記棒状体の長軸方向に移動可能な状態で装着されていることを特徴とするものである。
【０００９】
本発明の第５の形態に係る使用済み棒状体は、第１乃至第４のいずれかの形態に係る使用済み棒状体であって、前記露出防止部材が、弾性を有する合成樹脂製であることを特徴とするものである。
【００１０】
本発明の第６の形態に係る使用済み棒状体は、第１の形態に係る使用済み棒状体であって、前記露出防止部材が、折断可能な状態で前記棒状体の一部を構成していることを特徴とするものである。
【００１１】
本発明の第７の形態に係る棒状体は、頭部と、該頭部から延びる脚部と、該脚部に設けられた尖鋭部とを備える棒状体と、前記尖鋭部の少なくとも先端の露出を防止する露出防止部材とを備えることを特徴とするものである。
【００１２】
本発明の第８の形態に係る棒状体は、第７の形態に係る棒状体であって、前記露出防止部材が、前記頭部に取り外し可能な状態で装着されていることを特徴とするものである。  
【００１３】
本発明の第９の形態に係る棒状体は、第７又は第８の形態に係る使用済み棒状体であって、前記露出防止部材が、前記尖鋭部の少なくとも先端を差し込むことが可能な孔を備えることを特徴とするものである。
【００１４】
本発明の第１０の形態に係る棒状体は、第７の形態に係る棒状体であって、前記露出防止部材が、前記頭部又は前記頭部から前記脚部に向かう範囲に、前記棒状体の長軸方向に移動可能な状態で装着されていることを特徴とするものである。
【００１５】
本発明の第１１の形態に係る棒状体は、第７乃至第１０のいずれかの形態に係る棒状体であって、前記露出防止部材が、弾性を有する合成樹脂製であることを特徴とするものである。
【００１６】
本発明の第１２の形態に係る棒状体は、第７の形態に係る棒状体であって、前記露出防止部材が、折断可能な状態で前記棒状体の一部を構成していることを特徴とするものである。
【００１７】
本発明の第１３の形態に係る棒状体は、折断可能な頭部と、該頭部から延びる脚部と、該脚部に設けられた尖鋭部とを備える棒状体であって、折断された前記頭部に前記尖鋭部の少なくとも先端を突き刺す又は差し込むことにより、その先端の露出が防止されることを特徴とするものである。
【００１８】
本発明の第１４の形態に係る棒状体は、第１３の形態に係る棒状体であって、前記尖鋭部の少なくとも先端を突き刺す又は差し込む方向が前記頭部を構成する素材の繊維方向であることを特徴とするものである。
【００１９】
本発明の第１５の形態に係る棒状体の処分方法は、頭部と、該頭部から延びる脚部と、該脚部の先端に設けられた尖鋭部とを棒状体を所定の目的に使用した後に処分する方法であって、前記尖鋭部の少なくとも先端を露出防止部材により前記先端の露出を防止する工程を有することを特徴とするものである。
【００２０】
本発明の第１６の形態に係る棒状体の処分方法は、頭部と、該頭部から延びる脚部と、該脚部の先端に設けられた尖鋭部とを棒状体を所定の目的に使用した後に処分する方法であって、前記尖鋭部の少なくとも先端を露出防止部材に突き刺す又は差し込むことにより前記先端の露出を防止する工程を有することを特徴とするものである。
【００２１】
本発明の第１７の形態に係る棒状体の処分方法は、第１６の形態に係る処分方法であって、前記尖鋭部の少なくとも先端を露出防止部材に突き刺す又は差し込む方向が前記露出防止部材を構成する素材の繊維方向であることを特徴とするものである。
【００２２】
本発明の第１８の形態に係る棒状体の処分方法は、第１６又は第１７の形態に係る処分方法であって、前記先端の露出が防止された前記棒状体を廃棄又は焼却する工程とを有することを特徴とするものである。
【００２３】
本発明の第１９の形態に係る棒状体の処分方法は、頭部と、該頭部から延びる脚部と、該脚部の先端に設けられた尖鋭部とを備える楊枝又は竹串の処分方法であって、前記楊枝又は竹串を使用した後前記頭部又は前記脚部を折断する工程と、前記尖鋭部の少なくとも先端を前記頭部に突き刺す又は差し込むことにより前記先端の露出を防止する工程と、前記頭部が折断され、前記先端の露出が防止された前記楊枝又は竹串を廃棄又は焼却する工程とを有することを特徴とするものである。
【発明の効果】
【００２４】
本発明によれば、先端に尖鋭部を備える棒状体を所定の目的で使用した後、その尖鋭部の露出が防止されるので、当該棒状体は、それを取り扱う者にとって安全な状態におかれることになる。このため、当該棒状体の廃棄、焼却等の処分の作業を行おうとする者は、鋭利な尖鋭部により怪我をすることなく安全に当該処分を行うことができる。より詳しくは、本発明によれば、それを取り扱う者にとって安全な状態にある使用済み棒状体を実現することができ（本発明の第１乃至第６の各形態参照）、使用後においてそれを取り扱う者にとって安全な状態にすることができる棒状体を実現することができ（本発明の第７乃至第１４の各形態参照）、また、先端に尖鋭部を備える棒状体を使用後に安全に処分することができる（本発明の第１５乃至第１９の各形態参照）。
【００２５】
なお、棒状体の使用の「所定の目的」には特に制限はない。例えば、棒状体が爪楊枝である場合には、その爪楊枝の使用者がその者の歯間に挟まった食物片を取り除くことが「所定の目的」に相当するし、棒状体が例えば焼鳥用の竹串である場合には、これに調理者が鶏肉を刺し、これを用いて当該鶏肉を焼くことにより調理した後、これを用いて注文者が調理された鶏肉（焼鳥）を食することが「所定の目的」に相当する。
【００２６】
本発明の各形態が奏する作用効果は以下のとおりである。
即ち、本発明の第１の形態によれば、所定の目的に使用された棒状体の尖鋭部の少なくとも先端の露出が露出防止部材により防止されているので、それを取り扱う者にとって安全な状態にある使用済み棒状体を実現することができる。また、使用部分の棒状体の先端を覆うことができるため、衛生面の向上を図ることができる。さらに、使用部を隠したいという使用者の気持ちも満たすことができると共にエチケットの向上を図ることができる。
【００２７】
本発明の第２の形態によれば、露出防止部材が、所定の目的に使用される前の棒状体の頭部に取り外し可能な状態で装着されているので、これをすぐに探し出すことができ、また露出防止部材を独立に準備する手間が掛からない。それ故、短時間で、それを取り扱う者にとって安全な状態にある使用済み棒状体を実現することができる。また、短時間で、衛生面の向上が図られた使用済み棒状体を実現することができる。
【００２８】
本発明の第３の形態によれば、露出防止部材が、棒状体の尖鋭部の少なくとも先端を差し込むことが可能な孔を備えているので、いざ当該先端の露出を防止しようとしたとき、当該先端を露出防止部材に容易に差し込むことができ、しかも差し込み損じることもない。それ故、使用後短時間で、また容易に、それを取り扱う者にとって安全な状態にある使用済み棒状体を実現することができる。また、使用後短時間で、また容易に、衛生面の向上が図られた使用済み棒状体を実現することができる。
【００２９】
本発明の第４の形態によれば、露出防止部材が、棒状体が所定目的に使用される前にその頭部又は頭部から脚部に向かう範囲に、棒状体の長軸方向に移動可能な状態で装着されているので、所定の目的に使用された後の棒状体の頭部から尖鋭部に向かって少なくとも先端を覆う位置まで当該露出防止部材を移動（スライド又は摺動）させるという簡単な作業により、少なくとも当該先端の露出を防止することができる。しかも、露出防止部材の所在に悩むことはなくなり、すぐに探し出すことができ、また露出防止部材を独立に準備する手間が掛からない。それ故、使用後短時間で、また容易に、それを取り扱う者にとって安全な状態にある使用済み棒状体を実現することができる。また、使用後短時間で、容易に、衛生面の向上が図られた使用済み棒状体を実現することができる。
【００３０】
本発明の第５の形態によれば、露出防止部材が弾性を有する合成樹脂製であるので、棒状体の尖鋭部の少なくとも先端の露出を防止する部材として加工し易く、当該先端を差し込むことが容易にすることができ、また棒状体の長軸方向に移動可能な状態で装着され、頭部から尖鋭部に向かって移動（スライド又は摺動）させ易い部材として加工し易くなり、これにより、それを取り扱う者にとって安全な状態にあり、かつ、衛生面の向上が図られた使用済み棒状体を実現することができる。
【００３１】
本発明の第６の形態によれば、露出防止部材が折断可能な状態で棒状体の一部を構成しており、露出防止部材として特別な部材を用意する必要がないので便利である。また、容易且つ経済的に、それを取り扱う者にとって安全な状態にあり、かつ、衛生面の向上が図られた使用済み棒状体を実現することができる。
【００３２】
本発明の第７の形態によれば、所定の目的に使用された後に棒状体の尖鋭部の少なくとも先端の露出を露出防止部材により防止することができるので、使用後においてそれを取り扱う者にとって安全な状態にすることができる棒状体を実現することができる。また、使用後において、衛生面の向上が図られた棒状体を実現することができる。
【００３３】
本発明の第８の形態によれば、露出防止部材が、所定の目的に使用される前の棒状体の頭部に取り外し可能な状態で装着されているので、使用後においてそれを取り扱う者にとって安全な状態に、短時間ですることができる棒状体を実現することができる。また、使用後において、短時間で、衛生面の向上が図られた棒状体を実現することができる。
【００３４】
本発明の第９の形態によれば、露出防止部材が、棒状体の尖鋭部の少なくとも先端を差し込むことが可能な孔を備えているので、いざ当該先端の露出を防止しようとしたとき、当該先端を露出防止部材に容易に差し込むことができ、しかも差し込み損じることもない。それ故、使用後においてそれを取り扱う者にとって安全な状態に、短時間で、しかも容易にすることができる棒状体を実現することができる。また、使用後において、短時間かつ容易に、衛生面の向上が図られた棒状体を実現することができる。
【００３５】
本発明の第１０の形態によれば、露出防止部材が、棒状体が所定目的に使用される前にその頭部又は頭部から脚部に向かう範囲に、棒状体の長軸方向に移動可能な状態で装着されているので、所定の目的に使用された後の棒状体の頭部から尖鋭部に向かって少なくとも先端を覆う位置まで当該露出防止部材を移動（スライド又は摺動）させるという簡単な作業ことにより、少なくとも当該先端の露出を防止することができる。しかも、露出防止部材の所在に悩むことはなくなり、すぐに探し出すことができ、また露出防止部材を独立に準備する手間が掛からない。それ故、使用後においてそれを取り扱う者にとって安全な状態に、短時間で、しかも容易にすることができる棒状体を実現することができる。また、使用後において、短時間かつ容易に、衛生面の向上が図られた棒状体を実現することができる。
【００３６】
本発明の第１１の形態によれば、露出防止部材が弾性を有する合成樹脂製であるので、棒状体の尖鋭部の少なくとも先端の露出を防止する部材として加工し易く、当該先端を差し込むことが容易にすることができ、また棒状体の長軸方向に移動可能な状態で装着され、頭部から尖鋭部に向かって移動（スライド又は摺動）させ易い部材として加工し易くなり、これにより、使用後においてそれを取り扱う者にとって安全な状態にすることができると共に衛生面の向上が図られた棒状体（より詳しくは第１乃至第４の形態に係る棒状体）を実現することができる。
【００３７】
本発明の第１２の形態によれば、露出防止部材が折断可能な状態で棒状体の一部を構成しているので、露出防止部材として特別な部材を用意する必要がなく便利である。また、使用後においてそれを取り扱う者にとって安全な状態且つ衛生面が確保された状態に、短時間で、しかも容易且つ経済的にすることができる棒状体を実現することができる。
【００３８】
本発明の第１３の形態によれば、折断可能な棒状体の頭部を露出防止部材として使用することができる。即ち、棒状体の脚部の尖鋭部の少なくとも先端を折断後の頭部に突き刺す又は差し込むという簡単な作業ことにより、当該先端の露出を防止することができる。それ故、露出防止部材として特別な部材を用意する必要がなく、使用後においてそれを取り扱う者にとって安全な状態且つ衛生面が確保された状態に、短時間で、しかも容易且つ経済的にすることができる棒状体を実現することができる。
【００３９】
本発明の第１４の形態によれば、第１３の形態において、棒状体の脚部の尖鋭部の少なくとも先端を突き刺す又は差し込む方向が頭部を構成する素材の繊維方向であるので、突き刺す又は差し込む作業がより容易になる。
また、尖鋭部を突き刺す又は差し込む方向が折断された頭部を構成する素材の繊維方向であれば、相対的に小さな力で突き刺す又は差し込むことが可能になるので、作業者は鋭利な尖鋭部により怪我をし難くなる又は、仮に作業者が手元を誤まり怪我をすることがあったとしても大怪我をしないで済む。それ故、この形態によれば、取り扱う者にとってより安全になる棒状体を実現することができる。
【００４０】
本発明の第１５の形態によれば、棒状体の脚部の尖鋭部の少なくとも先端の露出を露出防止部材により防止するので、当該棒状体を使用後に安全かつ衛生面が確保たれた状態で処分することができる。
【００４１】
本発明の第１６の形態によれば、棒状体の脚部の尖鋭部の少なくとも先端を露出防止部材に突き刺す又は差し込むという簡単な作業ことにより、当該先端の露出防止するので、当該棒状体を使用後に、簡単な作業により安全かつ衛生面が確保たれた状態で処分することができる。
【００４２】
本発明の第１７の形態によれば、第１６の形態において、棒状体の脚部の尖鋭部の少なくとも先端を突き刺す又は差し込む方向が頭部を構成する素材の繊維方向であるので、突き刺す又は差し込む作業をより容易に行うことができる。
【００４３】
また、尖鋭部を突き刺す又は差し込む方向が折断された頭部を構成する素材の繊維方向であれば、相対的に小さな力で突き刺す又は差し込むことが可能になるので、作業者は鋭利な尖鋭部により怪我をし難くなる又は、仮に作業者が手元を誤まり怪我をすることがあったとしても大怪我をしないで済む。それ故、この形態によれば、使用後の棒状体をより安全かつ衛生面が確保たれた状態で処分することができる。
【００４４】
本発明の第１８の形態によれば、先端の露出が防止された棒状体を廃棄又は焼却する作業を安全かつ衛生面が確保された状態で行うことができる。
【００４５】
本発明の第１９の形態によれば、楊枝又は竹串を使用した後にその頭部又は前記脚部を折断し、更に脚部の尖鋭部の少なくとも先端を、折断した頭部に突き刺す又は差し込むことにより、当該先端の露出を防止した後に、当該楊枝又は竹串を廃棄又は焼却するので、その廃棄又は焼却に係る作業を安全かつ衛生面が確保された状態で行うことができる。
【００４６】
楊枝又は竹串の尖鋭部を突き刺す又は差し込む方向が折断された頭部を構成する素材の繊維方向であれば、相対的に小さな力で突き刺す又は差し込むことが可能になるので、作業者は鋭利な尖鋭部により怪我をし難くなる又は、仮に作業者が手元を誤まり怪我をすることがあったとしても大怪我をしないで済む。そして、楊枝や竹串のように木製又は竹製の場合には、折断が容易な場合が多く、通常、楊枝や竹串の長手方向が素材の繊維方向となり、頭部の頂面や折断面に先端部を突き刺す又は差し込むようにすると自ずと素材の繊維方向に突き刺す又は差し込むことになる。それ故、この形態に係る処分方法は、楊枝や竹串といった木や竹でできた棒状体の処分方法として好適なものとなる。
【００４７】
なお、本発明の第６、第１２及び第１９の各形態において棒状体からの頭部の折断を容易にするためには、棒状体の頭部とそれ以外の部分との境に裂け目、凹部、切欠部等の応力集中部を設けるのが簡便であり、望ましい。
【発明を実施するための最良の形態】
【００４８】
以下、本発明の幾つかの実施形態について、必要に応じて図面を参照しつつ説明するが、各図において同じ部分または相当する若しくは共通する部分にはこれと同じ符号を付し、一部の説明を省略する。
【００４９】
なお、本発明の技術的範囲は、これらの実施形態によって限定されるものではなく、均等の範囲にまで及ぶものである。本発明は、その要旨を変更することなく様々な形態で実施することができる。
【００５０】
＜実施形態１＞
図１は、本発明の実施形態１に係る使用済み棒状体及び棒状体並びに、棒状体の処分方法の説明図である。図中、符号１は楊枝や竹串などの棒状体であり、符号１１は棒状体１の頭部、符号１２は頭部１１の頂部又は頂面、符号１３は棒状体１の脚部、符号１４は脚部１３が備える尖鋭部である。符号１５は、尖鋭部１４の少なくとも先端の露出を防止する露出防止部材である。
【００５１】
露出防止部材１５の材質、形状、寸法等には基本的に制限はない。しかし、尖鋭部１４の少なくとも先端を突き刺す又は差し込むことができ、突き刺さった又は差し込まれた当該先端がそこから容易に抜けなくなるといった機能を少なくとも一時的に有するものが望まれる。露出防止部材１５の材質の典型例は、紙、木材、竹、天然ゴム、軟質又はスポンジ状の合成樹脂等である。
【００５２】
図１（Ａ）は、脚部１３の尖鋭部４の先端の露出が防止されていない状態にある棒状体１を示しており、図１（Ｂ）は、脚部１３の尖鋭部１４の少なくとも先端の露出が、露出防止部材１５により防止されている状態にある棒状体１を示している。また、図１（Ａ）に示された棒状体１が所定の目的に使用される前又は使用された直後のものであるとすると、図１（Ｂ）に示された棒状体１は、所定目的に使用された後に、その脚部１３の尖鋭部１４の少なくとも先端の露出が、露出防止部材１５により防止されている状態にある使用済み棒状体に相当することになる。
【００５３】
従って、図１（Ａ）に示された棒状体であれば、所定の目的に使用された後に棒状体１の尖鋭部１４の少なくとも先端の露出を露出防止部材１５により防止することができ、それを取り扱う者にとって安全な状態にすることができる。また、図１（Ｂ）に示された使用済み棒状体であれば、所定の目的に使用された棒状体１の尖鋭部１４の少なくとも先端の露出が露出防止部材１５により防止されているので、それを取り扱う者にとって安全な状態になる。更に、棒状体１と露出防止部材１５とを準備し（図１（Ａ）参照）、棒状体１を所定の目的に使用した後、尖鋭部１４の少なくとも先端の露出を露出防止部材１５により防止することができるので（図１（Ｂ）参照）、棒状体１を使用後に、簡単な作業により安全にかつ衛生面を確保して処分することができる。
【００５４】
＜実施形態２＞
図２は、本発明の実施形態２に係る使用済み棒状体及び棒状体並びに、棒状体の処分方法の説明図である。実施形態２は、露出防止部材１５が異なる点及びそれが原因となって異なる点を除き、実施形態１と共通する。
【００５５】
実施形態２における露出防止部材１５は、頭部１１を突き刺す又は差し込むことを可能にする機能とともに、尖鋭部１４の少なくとも先端を突き刺す又は差し込むことを可能にし、少なくとも一時的に、突き刺さった又は差し込まれた当該先端をそこから容易に抜けなくさせるという機能を有するものである必要がある。より具体的には、この露出防止部材１５は、棒状体１が貫通可能な孔１６を備え、この孔１６が拡径・縮径が自在であるものである。弾性を有するスポンジ状の露出防止部材１５であれば、そこに設けた孔１６を拡径・縮径が自在なものにすることが可能である。
【００５６】
尤も、露出防止部材１５の材質、形状、寸法等には基本的に制限はない。露出防止部材１５の材質の典型例は、天然ゴム、軟質又はスポンジ状の合成樹脂等である。
【００５７】
しかして、実施形態２によれば、まず、実施形態１と同様の効果を奏する。即ち、図２（Ｃ）に示された棒状体であれば、所定の目的に使用された後に棒状体１の尖鋭部１４の少なくとも先端の露出を露出防止部材１５により防止することができ、それを取り扱う者にとって安全な状態にすることができる。また、図２（Ｄ）に示された使用済み棒状体であれば、所定の目的に使用された棒状体１の尖鋭部１４の少なくとも先端の露出が露出防止部材１５により防止されているので、それを取り扱う者にとって安全な状態になる。更に、棒状体１と露出防止部材１５とを準備し（図２（Ｃ）参照）、棒状体１を所定の目的に使用した後、尖鋭部１４の少なくとも先端の露出を露出防止部材１５により防止することができるので（図２（Ｄ）参照）、棒状体１を使用後に、簡単な作業により安全にかつ衛生面を確保して処分することができる。
【００５８】
しかも、実施形態２によれば、露出防止部材１５が拡径・縮径が自在な孔１６を備えており、これを棒状体１の尖鋭部１４の先端のみならず、その頭部１１にも差し込んでおくことができるので、棒状体１を、その尖鋭部１４の少なくとも先端の露出が露出防止部材１５により防止された状態（図２（Ｄ）参照）にする前に、その頭部１１に露出防止部材１５が装着された状態（図２（Ｃ）参照）にしておくことができる。それ故、露出防止部材１５を棒状体１と略一体的に取り扱うことができ、尖鋭部１４の少なくとも先端に差し込まれた状態にする際、従って尖鋭部１４の先端の露出を防止する都度、露出防止部材１５を探し出す必要がなくなり、便利である。
【００５９】
なお、図２（Ｃ）に示された状態から図２（Ｄ）に示された状態にするための操作としては、例えば、<１> 露出防止部材１５を一度頭部１１から外すことなく所定の目的に棒状体１を使用した後、頭部１１から外し、引き続き尖鋭部１４の先端に差し込む、<２> 露出防止部材１５を一度頭部１１から外し、所定の目的に棒状体１を使用した後、尖鋭部１４の先端に差し込む、<３> 露出防止部材１５を一度頭部１１から外すことなく所定の目的に棒状体１を使用した後、棒状体１の表面を脚部１３方向に沿って尖鋭部１４の先端を覆う位置まで摺動させる、の３通りを考えることができるが、実施形態２においてはいずれの操作であってよく、また図２（Ｃ）に示された状態が最終的に図２（Ｄ）に示された状態になればよい。
【００６０】
また、図２（Ｃ）には、露出防止部材１５から頂面１２が露出した状態が示されているが、実施形態２においては、露出防止部材１５が頭部１１に差し込まれていればよく、露出防止部材１５から頂面１２が露出しているか否かは問わない。
【００６１】
＜実施形態３＞
図３は、本発明の実施形態３に係る使用済み棒状体及び棒状体並びに、棒状体の処分方法の説明図である。実施形態１及び２の場合との違いは、棒状体１の全範囲ではなく、棒状体１の頭部１１又は頭部１１から脚部１３に向かうある程度広い（棒状体１の長軸方向に沿ってある程度長い）範囲を覆うように、管状の露出防止部材１５が棒状体１に差し込まれていること（換言すれば、露出防止部材１５が孔１６を備え、その孔１６が貫通孔であり、そこに棒状体１の少なくとも頭部１１が差し込まれていること）である。
【００６２】
孔１６は管状を呈しているが、その表面（従って袋の内表面）は、棒状体１が所定の目的に使用される前又はその際にその棒状体１から容易に抜けない程度に、棒状体１の表面の一部と接触又は近接するように調整されている又は、そのような位置関係なるような工夫が適宜施されている。管状といっても、例えばフィルムが棒状体１の周に管状に巻き付けられて構成されるものであれば足り、またその材質には特に制限はない。
【００６３】
しかして、実施形態３によれば、まず、実施形態１及び２と同様の効果を奏する。即ち、図３（Ｆ）に示された棒状体であれば、所定の目的に使用された後に棒状体１の尖鋭部１４の少なくとも先端の露出を露出防止部材１５により防止することができ、それを取り扱う者にとって安全な状態にすることができる。図３（Ｆ）に示された使用済み棒状体であれば、所定の目的に使用された棒状体１の尖鋭部１４の少なくとも先端の露出が露出防止部材１５により防止されているので、それを取り扱う者にとって安全な状態になる。また、棒状体１を所定の目的に使用した後、尖鋭部１４の少なくとも先端の露出を露出防止部材１５により防止することができるので（図３（Ｆ）参照）、棒状体１を使用後に、簡単な作業により安全にかつ衛生面を確保して処分することができる。
【００６４】
しかも、実施形態３によれば、管状の露出防止部材１５を備えており、これを棒状体１の尖鋭部１４の先端のみならず、その頭部１１にも差し込んでおくことができるので、棒状体１を、その尖鋭部１４の少なくとも先端の露出が露出防止部材１５により防止された状態（図３（Ｆ）参照）にする前に、その頭部１１に露出防止部材１５が装着された状態（図３（Ｅ）参照）にしておくことができる。それ故、実施形態２の場合と同様に、露出防止部材１５を棒状体１と略一体的に取り扱うことができ、尖鋭部１４の少なくとも先端に差し込まれた状態にする際、従って尖鋭部１４の先端の露出を防止する都度、露出防止部材１５を探し出す必要がなくなり、便利である。
【００６５】
なお、図３（Ｅ）に示された状態から図３（Ｆ）に示された状態にするための操作としては、例えば、<１> 露出防止部材１５を一度頭部１１から外すことなく所定の目的に棒状体１を使用した後、頭部１１から外し、引き続き尖鋭部１４の先端に差し込む、<２> 露出防止部材１５を一度頭部１１から外し、所定の目的に棒状体１を使用した後、尖鋭部１４の先端に差し込む、<３> 露出防止部材１５を一度頭部１１から外すことなく所定の目的に棒状体１を使用した後、棒状体１の表面を脚部１３方向に沿って尖鋭部１４の先端を覆う位置まで摺動させる、の３通りを考えることができるが、実施形態３においてはいずれの操作であってよく、また図３（Ｅ）に示された状態が最終的に図３（Ｆ）に示された状態になればよい。
【００６６】
また、図３（Ｅ）には、露出防止部材１５から頂面１２が露出した状態が示されているが、実施形態３においては、露出防止部材１５が頭部１１に差し込まれていればよく、露出防止部材１５から頂面１２が露出しているか否かは問わない。
【００６７】
＜実施形態４＞
図４は、本発明の実施形態４に係る使用済み棒状体及び棒状体並びに、棒状体の処分方法の説明図である。実施形態１乃至３の場合との違いは、棒状体１の全範囲ではなく、棒状体１の頭部１１又は頭部１１から脚部１３に向かうある程度広い（棒状体１の長軸方向に沿ってある程度長い）範囲を覆うように、一端１７が封じられた管状の露出防止部材１５が棒状体１に差し込まれていること（換言すれば、露出防止部材１５が孔１６を備え、その孔１６が一端１７が封じられ、長い袋のようなになった孔であり、そこに棒状体１の少なくとも頭部１１が差し込まれていること）である。
【００６８】
孔１６は一端１７が封じられて袋状を呈しているが、その表面（従って袋の内表面）は、棒状体１が所定の目的に使用される前又はその際にその棒状体１から容易に抜けない程度に、棒状体１の表面の一部と接触又は近接するように調整されている又は、そのような位置関係なるような工夫が適宜施されている。一端１７が封じられた管状又は袋状といっても、例えばフィルムが棒状体１の周に管状に巻き付けられた上で、一端１７が熱融、接着等により封じられているものであれば足り、またその材質には特に制限はない。
【００６９】
しかして、実施形態４によれば、まず、実施形態１乃至３と同様の効果を奏する。即ち、図４（Ｈ）又は同図（Ｈ*）に示された棒状体であれば、所定の目的に使用された後に棒状体１の尖鋭部１４の少なくとも先端の露出を露出防止部材１５により防止することができ、それを取り扱う者にとって安全な状態にすることができる。図４（Ｈ）又は同図（Ｈ*）に示された使用済み棒状体であれば、所定の目的に使用された棒状体１の尖鋭部１４の少なくとも先端の露出が露出防止部材１５により防止されているので、それを取り扱う者にとって安全な状態になる。また、棒状体１を所定の目的に使用した後、尖鋭部１４の少なくとも先端の露出を露出防止部材１５により防止することができるので（図４（Ｈ）又は同図（Ｈ*）参照）、棒状体１を使用後に、簡単な作業により安全にかつ衛生面を確保して処分することができる。
【００７０】
しかも、実施形態４によれば、一端１７が封じられた管状の（長い袋のような）露出防止部材１５を備えており、これを棒状体１の尖鋭部１４の先端のみならず、その頭部１１にも差し込んでおくことができるので、棒状体１を、その尖鋭部１４の少なくとも先端の露出が露出防止部材１５により防止された状態（図４（Ｈ）又は同図（Ｈ*）参照）にする前に、その頭部１１に露出防止部材１５が装着された状態（図４（Ｇ）参照）にしておくことができる。それ故、実施形態２及び３の場合と同様に、露出防止部材１５を棒状体１と略一体的に取り扱うことができ、尖鋭部１４の少なくとも先端に差し込まれた状態にする際、従って尖鋭部１４の先端の露出を防止する都度、露出防止部材１５を探し出す必要がなくなり、便利である。
【００７１】
なお、図４（Ｇ）に示された状態から図４（Ｈ）に示された状態にするための操作としては、例えば、<１> 一端１７の封止を破った後、露出防止部材１５を一度頭部１１から外し、当該一端７の側から改めて尖鋭部１４の先端に差し込む、<２> 露出防止部材１５を一度頭部１１から外した後、一端１７の封止を破り、当該一端７の側から改めて尖鋭部１４の先端に差し込む、<３> 一端１７の封止を破った後、露出防止部材１５を頭部から外すことなく、棒状体１の表面を脚部１３方向に沿って尖鋭部１４の先端を覆う位置まで摺動させる、<４> 露出防止部材１５を頭部から外すことなく、棒状体１の表面を脚部１３方向に沿って摺動させ、一端１７の封止を破った後、尖鋭部１４の先端を覆う位置まで摺動させ、露出防止部材１５の内側で一端１７の封止部が頂面１２と衝突してもなお摺動させることで当該封止部を頭部１１により突き破り、一端１７の封止を破った後も脚部１３方向に沿って尖鋭部１４の先端を覆う位置まで摺動させる、の４通りを考えることができる。棒状体１を所定の目的で使用することや、一端１７の封止部の破り方などを組み合わせると、更に多くの操作例が考えられるが、実施形態４においてはいずれの操作であってよく、また図４（Ｇ）に示された状態が最終的に図４（Ｈ）に示された状態になればよい。
【００７２】
図４（Ｇ）に示された状態から図４（Ｈ*）に示された状態にするためには、露出防止部材１５を一度頭部１１から外した後、改めて尖鋭部１４の先端に差し込めばよい。
【００７３】
一端１７の封止部の破り方としては、上記<４>のように、露出防止部材１５の内側で一端１７の封止部が頂面１２と衝突してもなお摺動させることで当該封止部を頭部１１により突き破るというやり方があるが、露出防止部材１５を一度頭部１１から外し、尖鋭部１４から脚部１３に装着した後に、露出防止部材１５の内側で一端１７の封止部が尖鋭部１４の先端と衝突してもなお摺動させることで当該封止部を当該先端により突き破るというやり方もある。
【００７４】
＜実施形態５＞
実施形態１乃至４においては、露出防止部材１５は棒状体１と別部材である。これに対し実施形態５においては、露出防止部材１５は棒状体１の一部として、例えばその頭部１１の全部又は一部として、棒状体１から折断可能に構成されている（図５（Ｉ）参照）。従って、脚部１３の尖鋭部１４の先端の露出を防止する際には、まず、露出防止部材１５に相当する部分を棒状体１から折断して露出防止部材１５を作り出す（図５（Ｊ）参照）。次に、露出防止部材１５の折断面１９に脚部１３の尖鋭部１４の先端を突き刺す又は差し込む（図５（Ｋ）参照）。
【００７５】
しかして、実施形態５によれば、まず、実施形態１乃至４と同様の効果を奏する。即ち、図５（Ｋ）に示された棒状体であれば、所定の目的に使用された後に棒状体１の尖鋭部１４の少なくとも先端の露出を露出防止部材１５により防止することができ、それを取り扱う者にとって安全な状態にすることができる。図５（Ｋ）に示された使用済み棒状体であれば、所定の目的に使用された棒状体１の尖鋭部１４の少なくとも先端の露出が露出防止部材１５により防止されているので、それを取り扱う者にとって安全な状態になる。また、棒状体１を所定の目的に使用した後、尖鋭部１４の少なくとも先端の露出を露出防止部材１５により防止することができるので（図５（Ｋ）参照）、棒状体１を使用後に、簡単な作業により安全にかつ衛生面を確保して処分することができる。
【００７６】
しかも、実施形態５によれば、露出防止部材１５がもともと棒状体１の一部、特に頭部１１の一部又は全部であり（図５（Ｉ）参照）、必要時に折断して作り出すことができるので（図５（Ｊ）（Ｋ）参照）、尖鋭部１４の少なくとも先端に差し込まれた状態にする際、従って尖鋭部１４の先端の露出を防止する都度、露出防止部材１５を探し出す必要がなくなり、便利である。
【００７７】
なお、露出防止部材１５を作り出す際に棒状体１の折断を容易にするために、折断予定位置に切欠又は溝１８を設けてもよい（図５（Ｉ）参照）。棒状体１の折断予定位置に設けるのは切欠や溝に限定されず、切欠や溝以外の応力集中が起こり易くなる加工を施してもよい。また、尖鋭部１４の先端を露出防止部材１５の折断面１９ではなく、反対側の頂面１２に突き刺す又は差し込むようにしてもよい。更に、棒状体１を折断して露出防止部材１５を作り出した後に棒状体１を所定の目的に使用するという手順ではなく、棒状体１を所定の目的に使用した後に棒状体１を折断して露出防止部材１５を作り出すという手順により、尖鋭部１４の少なくとも先端の露出を露出防止部材１５により防止するようにしてもよい。
【００７８】
＜実施形態６＞
実施形態６に係る棒状体及び使用済み棒状体の各構成は、頂面１２に被差込み孔２０が予め設けられている点を除き、実施形態５に係る棒状体及び使用済み棒状体の各構成と同じである。
【００７９】
それ故、実施形態６によれば、まず、実施形態５と同様の作用効果を奏する。それに加えて、頂面１２に被差込み孔２０が予め設けられているので、尖鋭部１４の先端を被差込み孔２０に突き刺す又は差し込むこと、従って尖鋭部１４の少なくとも先端の露出が露出防止部材１５により防止された状態することが容易になる。
【００８０】
なお、実施形態５の場合と同様に、露出防止部材１５を作り出す際に棒状体１の折断を容易にするために、折断予定位置に切欠又は溝１８を設けてもよい（図６（Ｌ）参照）。棒状体１の折断予定位置に設けるのは切欠や溝に限定されず、切欠や溝以外の応力集中が起こり易くなる加工を施してもよい。また、棒状体１を折断して露出防止部材１５を作り出した後に棒状体１を所定の目的に使用するという手順ではなく、棒状体１を所定の目的に使用した後に棒状体１を折断して露出防止部材１５を作り出すという手順により、尖鋭部１４の少なくとも先端の露出を露出防止部材１５により防止するようにしてもよい。
【００８１】
＜実施形態７＞
図７は、本発明の実施形態７に係る使用済み棒状体及び棒状体並びに、棒状体の処分方法の説明図である。実施形態７は、露出防止部材１５が異なる点及びそれが原因となって異なる点を除き、実施形態２１と共通する。
【００８２】
実施形態７における露出防止部材１５は、頭部１１を突き刺す又は差し込むことを可能にする機能とともに、尖鋭部１４の少なくとも先端を突き刺す又は差し込むことを可能にし、少なくとも一時的に、突き刺さった又は差し込まれた当該先端をそこから容易に抜けなくさせるという機能を有するものである必要がある。この点は実施形態２の場合と同様である。しかし、より具体的には、実施形態２の場合と異なり、露出防止部材１５は、棒状体１の頭部１１が貫通可能でない一端が封じられた孔１６を備え、頭部１１を差し込んだとき、頂面１２を露出させないものである。このような露出防止部材１５を頭部１１に差し込むと、棒状体１はその露出防止部材１５を頭部１１に装着した状態になる（図７（Ｏ）参照）。
【００８３】
実施形態７の孔１６は拡径・縮径が自在であってもよいが、そうである必要はない。
【００８４】
露出防止部材１５の材質、形状、寸法等には基本的に制限はない。しかし、尖鋭部１４の少なくとも先端を突き刺す又は差し込むことができ、突き刺さった又は差し込まれた当該先端がそこから容易に抜けなくなるといった機能を少なくとも一時的に有するものが望まれる。露出防止部材１５の材質の典型例は、紙、木材、竹、天然ゴム、軟質又はスポンジ状の合成樹脂等である。
【００８５】
図７（Ｏ）は、脚部１３の尖鋭部４の先端の露出が防止されていない状態にある棒状体１を示しており、図７（Ｐ）は、脚部１３の尖鋭部１４の少なくとも先端の露出が、露出防止部材１５により防止されている状態にある棒状体１を示している。また、図７（Ｏ）に示された棒状体１が所定の目的に使用される前又は使用された直後のものであるとすると、図７（Ｐ）に示された棒状体１は、所定目的に使用された後に、その脚部１３の尖鋭部１４の少なくとも先端の露出が、露出防止部材１５により防止されている状態にある使用済み棒状体に相当することになる。
【００８６】
従って、図７（Ｏ）に示された棒状体であれば、所定の目的に使用された後に棒状体１の尖鋭部１４の少なくとも先端の露出を露出防止部材１５により防止することができ、それを取り扱う者にとって安全な状態にすることができる。また、図７（Ｐ）に示された使用済み棒状体であれば、所定の目的に使用された棒状体１の尖鋭部１４の少なくとも先端の露出が露出防止部材１５により防止されているので、それを取り扱う者にとって安全な状態になる。更に、棒状体１と露出防止部材１５とを準備し（図７（Ｏ）参照）、棒状体１を所定の目的に使用した後、尖鋭部１４の少なくとも先端の露出を露出防止部材１５により防止することができるので（図７（Ｐ）参照）、棒状体１を使用後に、簡単な作業により安全に処分することができる。
【００８７】
しかも、実施形態７によれば、露出防止部材１５が孔１６を備えており、これを棒状体１の頭部１１に差し込んでおくことができるので、棒状体１を、その尖鋭部１４の少なくとも先端の露出が露出防止部材１５により防止された状態（図７（Ｐ）参照）にする前に、その頭部１１に露出防止部材１５が装着された状態（図７（Ｏ）参照）にしておくことができる。それ故、露出防止部材１５を棒状体１と略一体的に取り扱うことができ、尖鋭部１４の少なくとも先端に差し込まれた状態にする際、従って尖鋭部１４の先端の露出を防止する都度、露出防止部材１５を探し出す必要がなくなり、便利である。
【００８８】
なお、図７（Ｏ）に示された状態から図７（Ｐ）に示された状態にするための操作としては、例えば、<１> 露出防止部材１５を一度頭部１１から外すことなく所定の目的に棒状体１を使用した後、頭部１１から外し、引き続き尖鋭部１４の先端に差し込む、<２> 露出防止部材１５を一度頭部１１から外し、所定の目的に棒状体１を使用した後、尖鋭部１４の先端に差し込む、の２通りを考えることができるが、実施形態７においてはいずれの操作であってよく、また図７（Ｏ）に示された状態が最終的に図７（Ｐ）に示された状態になればよい。
【００８９】
図２（Ｄ）や図７（Ｐ）には、棒状体１の尖鋭部１４の先端が露出防止部材１５の特定の位置に突き刺されている又は差し込まれている状態が描かれているが、実施形態２及び７においては、実施形態１の場合と同様に、露出防止部材１５の任意の位置に尖鋭部１４の先端を突き刺す又は差し込むようにしてもよい。
【００９０】
実施形態１、２並びに５乃至７においては、尖鋭部１４の先端を露出防止部材１５に突き刺す又は差し込む方向を、当該露出防止部材１５を形成する素材の繊維方向又はその繊維方向と略平行とするのが好ましい。そのような方向であれば、尖鋭部１４の少なくとも先端を露出防止部材１５に突き刺す又は差し込むことが容易になるからである。
【００９１】
例えば、爪楊枝や竹串のように棒状体１が木材や竹のような植物素材から形成されている場合には、当該棒状体１の長手方向が植物素材の繊維方向又はその繊維方向と略平行になっていることが多い。従って、実施形態５及び６の場合には、棒状体１の一部を折断して作成される露出防止部材１５の頂面１２又は折断面１９から尖鋭部１４の先端を突き刺せば、その方向が既に植物素材の繊維方向又はその繊維方向と略平行になるので、それを突き刺す作業、従って尖鋭部１４の少なくとも先端の露出を露出防止部材１５により防止する作業が容易になる。特に実施形態６の場合には、頂面１２に設けてある被差込み孔２０の形成方向も植物素材の繊維方向又はその繊維方向と略平行になるので、尖鋭部１４の少なくとも先端の露出を露出防止部材１５により防止する作業は更に容易になる。
【００９２】
変形例として、図８に示すように、露出防止部材１５は、分離可能な状態で棒状体１の一部を覆うキャップ部材２１が固着されていてもよい。この場合、棒状体１を使用する際には、キャップ部材２１を露出防止部材１５から分離し、棒状体１を露出防止部材１５から引き離して使用することとなる。これによれば、キャップ部材２１が分離されていれば、その棒状体１が使用されたものを意味し、分離されていなければその棒状体１は使用されていないことを意味する。したがって、棒状体１が使用済みかどうかを容易に理解することができる。また、棒状体１の使用後は、その棒状体１を露出防止部材１５に戻すことで、取り扱う者の安全面と衛生面を確保することができる。
【００９３】
露出防止部材１５に対するキャップ部材２１への固着の仕方は特に限定されないが、取り外しの容易さの観点からミシン目状に繋げるとよい。また、棒状体１を露出防止部材１５とキャップ部材２１で包まれた状態に固着することで、棒状体１を保護することができると共に、使用後においては棒状体１および使用した際に生じたカスなどの汚物を露出防止部材１５とキャップ部材２１とで覆い隠してしまうこともできる。また、これによれば、露出防止部材１５の孔１６を棒状体１に合わした形状にしなくても済むため、加工の自由度が増すと共に、単に袋に棒状体１を入れる場合と比べてコスト的にあまり変わらない。さらに、棒状体１の先端がばらけてしまったとしても、確実に露出防止部材１５に棒状体１を収容することができる。
【００９４】
他の変形例として、図９に示すように、露出防止部材１５の孔１６に棒状体１の抜け防止部２２を設けてもよい。具体的には、抜け防止部２２は、棒状体１と接する孔１６内の形状が凹凸形状（たとえば山切り形状）とすることで実現することができる。この凹凸形状は、特に限定されないが、たとえば、螺旋溝にしてもよい。このように抜け防止部２２を設けることで、棒状体１を抜け難くすることができる。これにより、より使用者の安全性を実現できると共に、衛生面のより確実な向上を図ることができる。
【００９５】
以上の各実施形態によれば、先端に尖鋭部を備える棒状体を所定の目的で使用した後、その尖鋭部の露出が防止されるので、当該棒状体は、それを取り扱う者にとって安全かつ衛生面が確保された状態におかれることになる。このため、当該棒状体の廃棄、焼却等の処分の作業を行おうとする者は、鋭利な尖鋭部により怪我をすることなく安全にかつ衛生面が確保された状態で当該処分を行うことができる。
【図面の簡単な説明】
【００９６】
【図１】本発明の実施形態１に係る使用済み棒状体及び棒状体並びに、棒状体の処分方法の説明図である。
【図２】本発明の実施形態２に係る使用済み棒状体及び棒状体並びに、棒状体の処分方法の説明図である。
【図３】本発明の実施形態３に係る使用済み棒状体及び棒状体並びに、棒状体の処分方法の説明図である。
【図４】本発明の実施形態４に係る使用済み棒状体及び棒状体並びに、棒状体の処分方法の説明図である。
【図５】本発明の実施形態５に係る使用済み棒状体及び棒状体並びに、棒状体の処分方法の説明図である。
【図６】本発明の実施形態６に係る使用済み棒状体及び棒状体並びに、棒状体の処分方法の説明図である。
【図７】本発明の実施形態７に係る使用済み棒状体及び棒状体並びに、棒状体の処分方法の説明図である。
【図８】本発明の変形例に係る棒状体の説明図である。
【図９】本発明の変形例に係る露出防止部材の説明図である。
【符号の説明】
【００９７】
１  棒状体
１１  頭部
１２  頂面
１３  脚部
１４  尖鋭部
１５  露出防止部材
１６  孔
１７  封止部
１８  切欠又は溝
１９  折断面
２０  被差込み孔
２１  キャップ部材
２２  抜け防止部
【図１】
0005352819.tif 000002
【図２】
0005352819.tif 000003
【図３】
0005352819.tif 000004
【図４】
0005352819.tif 000005
【図５】
0005352819.tif 000006
【図６】
0005352819.tif 000007
【図７】
0005352819.tif 000008
【図８】
0005352819.tif 000009
【図９】
0005352819.tif 000010